(57)【要約】【課題】解答欄の採点が完了するまでに採点の結果を確認することができる。【解決手段】採点装置は、解答欄を有する記録媒体を読み取った読取画像を取得する取得部２０と、記録媒体に関する正解情報と取得部２０で取得した読取画像に含まれる解答情報から正解及び不正解の少なくとも一方を判定することを指示する指示部２２と、判定が終了したことを示す判定終了情報と、判定が終了した解答欄毎の判定結果と、を受信する受信部２４と、受信部２４が受信した判定終了情報を通知する通知部２６と、通知部２６により通知がされるまでに判定が終了した解答欄の判定結果を表示する制御を行う制御部２８と、を備える【選択図】図２
2020149166.tif 000002
【特許請求の範囲】
【請求項１】
解答欄を有する記録媒体を読み取った読取画像を取得する取得部と、
前記記録媒体に関する正解情報と前記取得部で取得した前記読取画像に含まれる解答情報から正解及び不正解の少なくとも一方を判定することを指示する指示部と、
前記判定が終了したことを示す判定終了情報と、前記判定が終了した解答欄毎の判定結果と、を受信する受信部と、
前記受信部が受信した前記判定終了情報を通知する通知部と、
前記通知部により通知がされるまでに前記判定が終了した解答欄の前記判定結果を表示する制御を行う制御部と、
を備えた採点装置。
【請求項２】
前記制御部は、前記解答欄毎の判定にかかる時間が短い前記解答欄の種類から優先して前記判定結果を表示する制御を行う
請求項１記載の採点装置。
【請求項３】
前記制御部は、全ての前記解答欄の判定にかかる時間が予め定められた時間を超えない場合は、全ての前記解答欄のうち、前記判定にかかる時間が予め定めた閾値より長い解答欄については、前記判定結果を表示しない制御を行う
請求項１又は請求項２記載の採点装置。
【請求項４】
前記制御部は、前記判定結果を表示すると共に、前記正解情報に対する説明及び前記正解情報に関連した問題の少なくとも一方を表示する制御を行う
請求項１〜３の何れか１項に記載の採点装置。
【請求項５】
前記制御部は、前記正解情報に対する説明及び前記正解情報に関連した問題の少なくとも一方を表示する場合に、解答が正解の場合よりも不正解の場合の表示時間を長くする制御を行う
請求項４記載の採点装置。
【請求項６】
前記制御部は、全ての解答欄の判定にかかる時間が予め定められた時間を超えない場合は、前記正解情報に対する説明および前記正解情報に関連した問題を表示しない制御を行う
請求項４記載の採点装置。
【請求項７】
前記制御部は、前記正解情報に対する説明及び前記正解情報に関連した問題の少なくとも一方が表示されている領域を移動する操作がされた場合は、前記判定結果を表示しない制御を行う
請求項４〜６の何れか１項に記載の採点装置。
【請求項８】
前記受信部が受信した前記判定結果を印刷する印刷部を更に備え、
前記制御部は、前記判定結果の印刷が終了するまでの時間が予め定められた時間を超える場合は、前記判定結果の印刷を行わないことを表示する制御を行う
請求項１〜７の何れか１項に記載の採点装置。
【請求項９】
前記制御部は、前記印刷が終了するまでに予め定められた時間を超える場合は、前記判定結果の印刷を行わず、前記判定終了情報が通知されるまでに、前記判定の対象となる前記記録媒体に関連した情報を前記記録媒体に印刷する制御を行う
請求項８記載の採点装置。
【請求項１０】
前記受信部が受信した前記判定結果を印刷する印刷部を更に備え、
前記制御部は、不正解の解答欄を前記記録媒体に追加して印刷する制御を行う
請求項１〜９の何れか１項に記載の採点装置。
【請求項１１】
前記指示部は、追加された前記解答欄のみ正解及び不正解の少なくとも一方の判定を指示する
請求項１０記載の採点装置。
【請求項１２】
コンピュータを、請求項１〜１１の何れか１項に記載の採点装置の各部として機能させるための採点プログラム。
【発明の詳細な説明】
【技術分野】
【０００１】
本発明は、採点装置及び採点プログラムに関する。
【背景技術】
【０００２】
特許文献１には、所定の画像読取部に配置された原稿の画像を読み取る画像読取手段と、該手段によって読み取った画像情報を記憶する画像記憶手段と、該画像記憶手段に記憶された画像情報を、所定の画像出力部に配置された用紙上に画像形成して出力する画像出力手段とを備えた画像処理装置において、前記画像読取部に配置された原稿を搬送して前記画像出力部に配置する原稿搬送手段と、前記画像読取手段により読み取った原稿の画像情報に基づいて、前記画像出力部に配置された原稿上に画像形成するための所要の画像情報を出力する原稿処理手段とを設けたことを特徴とする画像処理装置が開示されている。
【０００３】
特許文献２には、生徒が課せられた評価テストに対し解答し、この解答を採点した答案を元に、前記生徒または該生徒の保護者が前記答案に係る情報を当該答案を格納するための採点結果データベースに入力する入力手段と、前記採点結果データベースに入力された前記評価テストの前記答案を要素毎に分析評価する評価テスト分析手段と、前記評価テスト分析手段の分析結果に基づいて該生徒に必要な前記要素を補充するため補充問題を生成する補充問題生成手段と、からなる評価支援システムが開示されている。
【０００４】
特許文献３には、見出語と当該見出語の説明情報とが対応付けられた情報を集合した辞書情報を記憶する辞書情報記憶手段と、前記辞書情報に含まれる何れかの見出語と予め対応付けられた所定の問題を出力する出力手段と、この出力手段により出力された問題に対する回答を入力する回答入力手段と、この回答入力手段により入力された回答の正誤を判定する正誤判定手段と、この正誤判定手段による正誤結果に基づき、誤りと判定された問題に対応する見出語を登録する誤見出語登録手段と、この誤見出語登録手段により登録された見出語を、選択可能に一覧表示する制御を行う見出語表示制御手段と、この見出語表示制御手段により一覧表示された見出語のうちの選択された見出語に対応する説明情報を表示する制御を行う説明情報表示制御手段と、を備えることを特徴とする情報表示制御装置が開示されている。
【先行技術文献】
【特許文献】
【０００５】
【特許文献１】特開平７−３２００７３号公報
【特許文献２】特開２０１１−１３８０２４号公報
【特許文献３】特開２００５−１８９７０５号公報
【発明の概要】
【発明が解決しようとする課題】
【０００６】
従来、解答欄に解答が記載された答案用紙を読み取って自動採点する採点装置において、答案用紙を読み取ってから全ての採点が完了するまでに採点の結果を確認することができなかった。
【０００７】
本発明は、解答欄の採点が完了するまでに採点の結果を確認することができる採点装置及び採点プログラムを提供することを目的とする。
【課題を解決するための手段】
【０００８】
第１態様に係る採点装置は、解答欄を有する記録媒体を読み取った読取画像を取得する取得部と、前記記録媒体に関する正解情報と前記取得部で取得した前記読取画像に含まれる解答情報から正解及び不正解の少なくとも一方を判定することを指示する指示部と、前記判定が終了したことを示す判定終了情報と、前記判定が終了した解答欄毎の判定結果と、を受信する受信部と、前記受信部が受信した前記判定終了情報を通知する通知部と、前記通知部により通知がされるまでに前記判定が終了した解答欄の前記判定結果を表示する制御を行う制御部と、を備える。
【０００９】
第２態様に係る採点装置は、第１態様に係る採点装置において、前記制御部は、前記解答欄毎の判定にかかる時間が短い前記解答欄の種類から優先して前記判定結果を表示する制御を行う。
【００１０】
第３態様に係る採点装置は、第１態様又は第２態様に係る採点装置において、前記制御部は、全ての前記解答欄の判定にかかる時間が予め定められた時間を超えない場合は、全ての前記解答欄のうち、前記判定にかかる時間が予め定めた閾値より長い解答欄については、前記判定結果を表示しない制御を行う。
【００１１】
第４態様に係る採点装置は、第１〜第３態様の何れかの態様に係る採点装置において、前記制御部は、前記判定結果を表示すると共に、前記正解情報に対する説明及び前記正解情報に関連した問題の少なくとも一方を表示する制御を行う。
【００１２】
第５態様に係る採点装置は、第４態様に係る採点装置において、前記制御部は、前記正解情報に対する説明及び前記正解情報に関連した問題の少なくとも一方を表示する場合に、解答が正解の場合よりも不正解の場合の表示時間を長くする制御を行う。
【００１３】
第６態様に係る採点装置は、第４態様に係る採点装置において、前記制御部は、全ての解答欄の判定にかかる時間が予め定められた時間を超えない場合は、前記正解情報に対する説明および前記正解情報に関連した問題を表示しない制御を行う。
【００１４】
第７態様に係る採点装置は、第４〜第６態様の何れかの態様に係る採点装置において、前記制御部は、前記正解情報に対する説明及び前記正解情報に関連した問題の少なくとも一方が表示されている領域を移動する操作がされた場合は、前記判定結果を表示しない制御を行う。
【００１５】
第８態様に係る採点装置は、第１〜第７態様の何れかの態様に係る採点装置において、前記受信部が受信した前記判定結果を印刷する印刷部を更に備え、前記制御部は、前記判定結果の印刷が終了するまでの時間が予め定められた時間を超える場合は、前記判定結果の印刷を行わないことを表示する制御を行う。
【００１６】
第９態様に係る採点装置は、第８態様に係る採点装置において、前記制御部は、前記印刷が終了するまでに予め定められた時間を超える場合は、前記判定結果の印刷を行わず、前記判定終了情報が通知されるまでに、前記判定の対象となる前記記録媒体に関連した情報を前記記録媒体に印刷する制御を行う。
【００１７】
第１０態様に係る採点装置は、第１〜第９態様の何れかの態様に係る採点装置において、前記受信部が受信した前記判定結果を印刷する印刷部を更に備え、前記制御部は、不正解の解答欄を前記記録媒体に追加して印刷する制御を行う。
【００１８】
第１１態様に係る採点装置は、第１０態様に係る採点装置において、前記指示部は、追加された前記解答欄のみ正解及び不正解の少なくとも一方の判定を指示する。
【００１９】
第１２態様に係る採点プログラムは、コンピュータを、第１〜第１１態様の何れか１つの態様に記載の採点装置の各部として機能させるための採点プログラムである。
【発明の効果】
【００２０】
第１及び第１２態様によれば、解答欄の採点が完了するまでに採点の結果を確認することができる、という効果を有する。
【００２１】
第２態様によれば、解答欄が記載された順序で判定結果を表示する場合又は解答欄毎の判定にかかる時間が長い解答欄の種類から優先して判定結果を表示する場合と比較して、判定開始から解答欄の判定結果が最初に表示されるまでの時間が短くなる、という効果を有する。
【００２２】
第３態様によれば、全ての解答欄の判定にかかる時間が予め定めた時間を超えない場合でも全ての解答欄の判定結果を表示する場合と比較して、全ての解答欄の判定が終了していることを速やかに知ることができる、という効果を有する。
【００２３】
第４態様によれば、判定結果のみを表示する場合と比較して、正解した問題について深く理解することができる、という効果を有する。
【００２４】
第５態様によれば、解答が不正解の場合よりも正解の場合の表示時間を長くする場合と比較して、不正解の問題について深く理解することができる、という効果を有する。
【００２５】
第６態様によれば、全ての解答欄の判定にかかる時間が予め定められた時間を超えない場合でも正解情報に対する説明及び正解情報に関連した問題を表示する場合と比較して、解答欄の判定が終了していることを速やかに知ることができる、という効果を有する。
【００２６】
第７態様によれば、正解情報に対する説明及び正解情報に関連した問題の少なくとも一方が表示されている領域を移動する操作がされた場合でも、判定結果を表示する場合と比較して、正解情報に対する説明及び正解情報に関連した問題の少なくとも一方を見やすくすることができる、という効果を有する。
【００２７】
第８態様によれば、判定結果の印刷が終了するまでの時間が予め定められた時間を超える場合でも判定結果の印刷を行う場合と比較して、ユーザーを待たせる必要がない、という効果を有する。
【００２８】
第９態様によれば、判定終了情報が通知されるまでに、判定の対象となる記録媒体に関連した情報を記録媒体に印刷しない場合と比較して、判定終了情報が通知されるまでにユーザーが何もすることがない状態となるのを回避することができる、という効果を有する。
【００２９】
第１０態様によれば、不正解の解答欄を記録媒体に追加しない場合と比較して、不正解の問題に対して再解答することができる、という効果を有する。
【００３０】
第１１態様によれば、追加された解答欄だけでなく全ての解答欄の判定を指示する場合と比較して、判定にかかる時間を短縮することができる、という効果を有する。
【図面の簡単な説明】
【００３１】
【図１】画像形成装置の構成図である。
【図２】ＣＰＵの機能ブロック図である。
【図３】採点処理のフローチャートである。
【図４】第１の処理のフローチャートである。
【図５】第２の処理のフローチャートである。
【図６】テスト情報の一例を示す図である。
【図７】残り時間表示画像の一例を示す図である。
【図８】採点画像の一例を示す図である。
【図９】解答欄の判定結果の表示の一例を示す図である。
【図１０】解答欄の判定結果の表示の一例を示す図である。
【図１１】解答欄の判定結果の表示の一例を示す図である。
【発明を実施するための形態】
【００３２】
以下、図面を参照して、本発明を実施するための形態例を詳細に説明する。
【００３３】
図１は、本実施形態に係る画像形成装置１の構成図である。図１に示すように、画像形成装置１は、スキャナ部２、印刷部３、操作部４、表示部５、通信部６、記憶部７、及び情報処理部１０を備える。なお、図１では、用紙等の記録媒体を供給する供給機構、記録媒体を搬送する搬送機構、記録媒体を排出する排出機構等の図示を省略している。なお、画像形成装置１は採点装置の一例である。
【００３４】
画像形成装置１は、原稿を読み取るスキャン機能、原稿を複写するコピー機能、印刷データを印刷する印刷機能、原稿をファクシミリ送信するファクシミリ送信機能等の複数の機能を有する複合機として機能する。
【００３５】
スキャナ部２は、画像が形成された紙等の記録媒体を光学的に読み取って読み取り画像を生成し、情報処理部１０に出力する。
【００３６】
印刷部３は、例えば電子写真方式又はインクジェット記録方式等により紙等の記録媒体に画像を形成する機能を有し、情報処理部１０からの指示により画像を記録媒体に形成する。
【００３７】
操作部４は、各種操作を受け付ける操作キーを含んで構成される。
【００３８】
表示部５は、液晶ディスプレイ等で構成され、例えば画面に指等で触れることで各種操作を受け付けるタッチパネルで構成される。
【００３９】
通信部６は、外部装置等とデータ通信を行うためのインターフェースである。
【００４０】
記憶部７は、ハードディスク等の不揮発性の記憶装置で構成され、後述する採点プログラム等を記憶する。
【００４１】
情報処理部１０は、ＣＰＵ（Central Processing Unit）１０Ａ、ＲＯＭ（Read Only Memory）１０Ｂ、ＲＡＭ（Random Access Memory）１０Ｃ、不揮発性メモリ１０Ｄ、及び入出力インターフェース（Ｉ／Ｏ）１０Ｅを備える。そして、ＣＰＵ１０Ａ、ＲＯＭ１０Ｂ、ＲＡＭ１０Ｃ、不揮発性メモリ１０Ｄ、及びＩ／Ｏ１０Ｅがバス１０Ｆを介して各々接続されている。Ｉ／Ｏ１０Ｅには、スキャナ部２、印刷部３、操作部４、表示部５、通信部６、記憶部７が接続されている。ＣＰＵ１０Ａは、記憶部７に記憶された採点プログラムを読み込んで実行する。
【００４２】
画像形成装置１は、前述したコピー機能等の複合機の基本機能の他に、テストの採点機能を有する。採点機能は、テストの解答を記述する解答欄が記載された解答用紙等の記録媒体を読み取り、読み取った解答用紙の画像から、テストを採点する機能である。採点結果は、紙等の記録媒体に印刷したり、記憶部７に記憶したり、通信部６を介して外部装置に送信したり、表示部５に表示したりする。なお、解答用紙には、問題と一緒に解答欄が記載されていてもよいし、解答欄のみ記載されていてもよい。
【００４３】
以下、画像形成装置１が採点機能を実行する場合におけるＣＰＵ１０Ａの機能構成について説明する。
【００４４】
図２に示すように、ＣＰＵ１０Ａは、機能的には、取得部２０、指示部２２、受信部２４、通知部２６、制御部２８、及び採点部３０を備える。
【００４５】
取得部２０は、スキャナ部２から、テストの解答欄に解答が記述された解答用紙を読み取った読取画像を取得する。また、取得部２０は、取得した読取画像の解答欄の文字認識処理、すなわちＯＣＲ（Optical Character Recognition）処理を実行し、解答欄に記載された解答を表す解答情報を取得する。ここで、解答情報とは、ユーザーが解答用紙に記載した、問題に対応する情報である。また、解答の方式としては、複数の選択肢の中から少なくとも１つ以上の選択肢に対応するマークを塗りつぶすマークシート方式、複数の選択肢の中から少なくとも１つ以上の選択肢を表す記号を記入したり、記号を丸で囲んだり、記号をチェックしたりする記入方式、及び単語又は文章を自由に記述する記述方式の少なくとも１つを含む。
【００４６】
指示部２２は、取得部２０が取得した解答情報を採点部３０に送信し、解答用紙に関する正解情報と取得部２０で取得した読取画像に含まれる解答情報から正解及び不正解の少なくとも一方を判定することを採点部３０に指示する。本実施形態では、指示部２２は正解を判定することを採点部３０に指示する。なお、不正解を判定することを指示してもよいし、正解及び不正解の両方を判定することを指示してもよい。
【００４７】
受信部２４は、判定が終了したことを示す判定終了情報と、判定が終了した解答欄毎の判定結果と、採点部３０から受信する。
【００４８】
通知部２６は、受信部２４が受信した判定終了情報を制御部２８に通知する。
【００４９】
制御部２８は、通知部２６により判定終了情報が通知されるまでに判定が終了した解答欄の判定結果を表示部５に表示する制御を行う。
【００５０】
採点部３０は、指示部２２から送信された解答情報に基づいて各問題の解答が正解か否かを判定し、判定結果を受信部２４に送信する。また、採点部３０は、全ての問題の解答の判定が終了した場合は、判定が終了したことを表す判定終了情報を受信部２４に送信する。
【００５１】
次に、図３〜５を参照して、本実施の形態に係る画像形成装置１の作用を説明する。図２に示すように、記憶部７に採点プログラム３２が記憶されている。ＣＰＵ１０Ａが採点プログラム３２を読み出して実行することにより、図３に示す採点処理が実行される。なお、図３に示す採点処理は、例えば、ユーザーがスキャナ部２にテストをセットし、操作部４を操作して採点処理の実行を指示した場合に実行される。
【００５２】
ステップＳ１００では、取得部２０が、スキャナ部２にテストの読み取りを指示し、スキャナ部２が読み取ったテストの画像を取得する。
【００５３】
ステップＳ１０２では、取得部２０が、ステップＳ１００で取得したテストの画像からテストＮｏを取得する。テストＮｏは、テストの種類毎に付与された固有の識別番号である。本実施形態では、テストの予め定めた位置にテストＮｏを表すＱＲコード(登録商標)等のバーコード（図示省略）が印刷されており、このバーコードを解析することによりテストＮｏを取得する。なお、ユーザーにテストＮｏを入力させることによりテストＮｏを取得してもよい。
【００５４】
ステップＳ１０４では、取得部２０が、ステップＳ１００で取得した読取画像の解答欄の文字認識処理、すなわちＯＣＲ（Optical Character Recognition）処理を実行し、解答欄に記載された解答を表す解答情報を取得する。具体的には、記憶部７に記憶された図６に示すようなテスト情報３４を参照して各解答欄の位置を取得する。そして、取得した位置に設けられた解答欄に対してＯＣＲ処理を実行することにより、解答欄に記述された文字列を取得する。
【００５５】
図６に示すように、テスト情報３４は、テストＮｏ、各問題の解答に関する解答情報、及びテストのページ数の対応関係を表す情報である。解答情報は、正解情報、採点時間、解答欄の位置、点数、及び関連情報を含む。ここで、関連情報は、問題に関連する関連問題、発展問題、及び解き方の解説の少なくとも１つを含む。
【００５６】
ステップＳ１０６では、取得部２０が、テスト情報３４を参照し、ステップＳ１０２で取得したテストＮｏのテストの採点時間を算出し、表示部５に表示させる。具体的には、テスト情報３４を参照して、ステップＳ１０２で取得したテストＮｏのテストに含まれる全ての問題の採点時間を積算することによりテスト全体の採点時間を算出し、表示部５に表示させる。
【００５７】
なお、採点終了までの残り時間が表示部５にリアルタイムに表示されるようにしてもよい。例えば図７に示すように、時間の経過と共に秒針３６が時計回りに回転すると共に、採点終了までの残り時間Ｔが減っていくような残り時間表示画像３８が表示部５に表示されるようにしてもよい。
【００５８】
ステップＳ１０８では、取得部２０が、テスト情報３４を参照し、ステップＳ１０２で取得したテストＮｏのテストの印刷時間を算出する。具体的には、テスト情報３４を参照して、ステップＳ１０２で取得したテストＮｏのテストのページ数に予め定めた１ページ当たりの印刷時間を乗算することによりテストの印刷時間を算出する。
【００５９】
ステップＳ１１０では、指示部２２が、解答欄毎の判定にかかる時間、すなわち採点時間が短い解答欄の種類から優先して採点するよう採点部３０に指示する。具体的には、テスト情報３４を参照し、ステップＳ１０４で取得した各問題の解答情報を、採点時間が短い順に並べ替えて採点部３０に順次送信する。
【００６０】
ステップＳ１１２では、採点部３０が、テスト情報３４を参照し、指示部２２から送信された解答情報で表される解答が正解か否かを判定する。なお、採点部３０は、全ての問題の解答を判定した場合は判定終了情報を受信部２４に送信する。
【００６１】
ステップＳ１１４では、受信部２４が、採点部３０から判定結果を受信する。
【００６２】
ステップＳ１１６では、受信部２４が、採点部３０から判定終了情報を受信したか否かを判定し、判定終了情報を受信した場合はステップＳ１１８へ移行し、判定終了情報を受信していない場合はステップＳ１２０へ移行する。
【００６３】
ステップＳ１１８では、図４に示す第１の処理を実行する。
【００６４】
一方、ステップＳ１２０では、図５に示す第２の処理を実行する。
【００６５】
図４に示すように、ステップ２００では、通知部２６が、判定が終了したことを表すメッセージを判定終了情報として表示部５に表示させる。
【００６６】
ステップＳ２０２では、制御部２８が、テストの合計点を算出する。すなわち、テスト情報３４を参照し、図３のステップＳ１０２で取得したテストＮｏに対応するテストに含まれる問題のうち、正解の問題の点数を積算することにより合計点を算出する。
【００６７】
ステップＳ２０４では、制御部２８が、ステップＳ１００で取得したテストの読取画像に採点結果を反映した採点画像を生成する。具体的には、図３のステップＳ１００で取得したテストの読取画像の各問題の解答欄に、正解又は不正解を表すマークが追加されると共に、合計点が追加された画像を生成する。また、不正解の問題については、不正解の問題の解答欄の近傍に、不正解の問題に対して再解答するための再解答欄を追加する。また、再解答欄を追加した場合は、後で再解答欄に記載された解答を判定するために、追加した再解答欄の位置をテスト情報３４に登録する。
【００６８】
図８には採点画像の一例を示した。図８に示すように、採点画像４０には、正解の問題１の解答欄Ｋ１には正解を表すマークとして「○」を表すマークＭ１が追加され、不正解の問題２の解答欄Ｋ２には不正解を表すマークとして「×」を表すマークＭ２が追加されている。また、採点画像４０には、不正解の問題２の解答欄Ｋ２の近傍、例えば図８の例では解答欄Ｋ２の右側に、再解答用の再解答欄Ｋ２ａが追加されている。また、採点画像４０には、解答用紙の右下の余白部分に合計点を表す文字列Ｗが追加されている。なお、正解の問題の解答欄のみにマークＭ１を追加してもよいし、不正解の問題の解答欄にのみマークＭ２を追加してもよい。また、再解答欄Ｋ２ａを含む再解答欄画像を、採点画像４０と別個に生成してもよい。
【００６９】
これにより、解答用紙を読み取った読取画像に対して、正解及び不正解を表すマークと、不正解の問題の再解答欄と、合計点と、が追加された採点画像が生成される。
【００７０】
ステップＳ２０６では、制御部２８が、図３のステップＳ１０８で算出した印刷時間が予め定めた時間を超えるか否かを判定する。ここで、予め定めた時間は、印刷時間が予め定めた時間を超えるとユーザーが印刷終了するまでの待ち時間が長いと感じる時間に設定される。
【００７１】
そして、印刷時間が予め定めた時間を超えない場合はステップＳ２０８へ移行し、印刷時間が予め定めた時間を超える場合はステップＳ２１０へ移行する。
【００７２】
ステップＳ２０８では、制御部２８が、採点画像を記録用紙に印刷するよう印刷部３に指示する。これにより、採点画像が記録用紙に印刷される。
【００７３】
ステップＳ２１０では、制御部２８は、ステップＳ２０４で生成した採点画像を記憶部７に記憶させる。これにより、ユーザーは後から採点画像の印刷の指示を行うことが可能となる。
【００７４】
このように、印刷時間が予め定めた超える場合は、採点画像を印刷せずに記憶部７に記憶させる。一方、印刷時間が予め定めた時間以下の場合は、採点画像を印刷すると共に、採点画像を記憶部７に記憶させる。
【００７５】
次に、図５を参照して第２の処理について説明する。
【００７６】
図５に示すように、ステップＳ３００では、制御部２８が、全ての解答欄の判定にかかる時間が予め定められた時間を超えないか否か、すなわち全ての解答欄の判定にかかる時間が予め定められた時間以下であるか否かを判定する。ここで、予め定めた時間は、全ての解答欄の判定にかかる時間が予め定めた時間を超えない場合は、全ての解答欄のうち、判定にかかる時間が予め定めた閾値より長い解答欄については、判定結果を表示しない制御を行った方が良いとされる時間に設定される。
【００７７】
そして、全ての解答欄の判定にかかる時間が予め定められた時間以下の場合はステップＳ３０２へ移行し、全ての解答欄の判定にかかる時間が予め定められた時間を超える場合はステップＳ３０４へ移行する。
【００７８】
ステップＳ３０２では、制御部２８が、解答欄の判定にかかる時間が予め定めた閾値より長いか否かを判定する。ここで、予め定めた閾値は、解答欄の判定にかかる時間が予め定めた閾値より長い場合は、判定結果を表示しない制御を行った方が良いとされる値に設定される。
【００７９】
そして、解答欄の判定にかかる時間が予め定めた閾値より長い場合は本ルーチンを終了して図３のステップＳ１１２へ移行し、次の解答欄の判定を行う。
【００８０】
このように、制御部２８は、全ての解答欄の判定にかかる時間が予め定められた時間を超えない場合は、全ての解答欄のうち、判定にかかる時間が予め定めた閾値より長い解答欄、例えば解答が記述方式の解答欄については、判定結果を表示しない制御を行う。
【００８１】
一方、解答欄の判定にかかる時間が予め定めた閾値以下の場合は、ステップＳ３０４へ移行する。
【００８２】
ステップＳ３０４では、制御部２８が、図３のステップＳ１１４で受信した判定結果を表示部５に表示する制御を行う。例えば図９に示すように、問題１の解答が正解と判定された場合は、解答欄Ｋ１に正解を表す「○」が描画された画像を表示する。なお、最初に問題１の解答を表示させ、その後「○」が描画された画像を表示するようにしてもよい。また、「○」が徐々に描画される様子をアニメーションで表示するようにしてもよい。このように、判定結果を一瞬で表示する態様だけでなく、描画の動きを視認可能な態様で表示することにより、ユーザーにとって判定結果が判るまでのドキドキする気持ちが高まる。さらに、解答欄Ｋ１の領域を拡大して表示するようにしてもよい。これにより、ユーザーにとって判定結果が視認しやすくなる。
【００８３】
ステップＳ３０６では、制御部２８が、正解情報に対する説明及び正解情報に関連した問題の少なくとも一方を表示部５に表示する制御を行う。ここで、正解情報に対する説明とは、正解となった問題を説明するものであり、例えば問題の解説及び問題の解き方のヒントの少なくとも一方等の説明を含む。図１０には、問題１の正解情報に対する説明５０が表示部５に表示されると共に、問題１の正解情報に関連した関連問題５２が表示部５に表示された例を示した。なお、正解情報に対する説明のみ表示部５に表示させてもよいし、正解情報に関連した問題のみ表示部５に表示させてもよい。
【００８４】
また、正解情報に対する説明及び正解情報に関連した問題の少なくとも一方を表示部５に表示する場合に、解答が正解の場合よりも不正解の場合の表示時間を長くする制御を行ってもよい。図１０の例の場合、問題１の解答は正解であるが、仮に問題１が不正解であった場合は、正解の場合と比較して、説明５０及び関連問題５２の表示時間を長くする制御を行う。これにより、不正解の問題に対して理解が深まる。
【００８５】
また、正解情報に対する説明及び正解情報に関連した問題の少なくとも一方を表示部５に表示する場合に、全ての問題について表示してもよいし、一部の問題について表示してもよい。一部の問題について表示する場合、例えば不正解又は一部不正解と判定された問題についてのみ正解情報に対する説明及び正解情報に関連した問題の少なくとも一方を表示するようにしてもよい。換言すれば、正解と判定された問題については、正解情報に対する説明及び正解情報に関連した問題を表示しなくてもよい。
【００８６】
また、正解情報に対する説明及び正解情報に関連した問題の少なくとも一方を表示部５に表示する場合に、説明等の表示が一定時間毎に次の問題に自動的に切り替わってもよいし、ユーザーが表示を切り替えるための操作を行った場合に、説明等の表示が次の問題に切り替わるようにしてもよい。
【００８７】
また、説明等の表示が一定時間毎に次の問題に自動的に切り替えわるようにする場合、正解の問題と不正解の問題とで表示時間を異ならせるようにしてもよい。例えば、ユーザーは、正解した問題よりも、不正解の問題の説明等の方が時間をかけて見たい場合が多いと考えられる。このため、不正解の問題の説明等の表示時間を、正解の問題の説明等の表示時間より長くしてもよい。
【００８８】
また、全ての解答欄の判定にかかる時間が予め定められた時間を超えない場合は、正解情報に対する説明及び正解情報に関連した問題を表示しない制御を行っても良い。
【００８９】
ところで、図１０に示す説明５０及び関連問題５２が１画面に収まらない場合がある。この場合、説明５０及び関連問題５２が表示されている領域を移動する操作、例えばスクロール操作を行うことにより、説明５０及び関連問題５２が全て表示される。この場合、解答欄の判定結果を非表示とし、表示部５全体に説明５０及び関連問題５２を表示した方が視認しやすくなる。
【００９０】
そこで、正解情報に対する説明及び正解情報に関連した問題の少なくとも一方が表示部５に表示されている状態において、正解情報に対する説明及び正解情報に関連した問題の少なくとも一方が表示されている領域を移動する操作としてスクロール操作等がされた場合は、解答欄の判定結果を非表示とし、表示部５全体に正解情報に対する説明及び正解情報に関連した問題の少なくとも一方が表示されるようにしてもよい。例えば図１１に示すように、説明５０及び関連問題５２を表示部５全体に表示させる。これにより、説明５０及び関連問題５２が視認しやすくなる。
【００９１】
ステップＳ３０８では、制御部２８が、図３のステップＳ１０８で算出した印刷時間が予め定めた時間を超えるか否かを判定する。ここで、予め定めた時間は、印刷時間が予め定めた時間を超える場合に、ユーザーが印刷終了するまでの待ち時間が長いと感じる時間に設定される。
【００９２】
そして、印刷時間が予め定めた時間を超える場合はステップＳ３１０へ移行し、印刷時間が予め定めた時間以下の場合は本ルーチンを終了して図３のステップＳ１１２へ移行し、次の解答欄の判定を行う。
【００９３】
ステップＳ３１０では、制御部２８が、判定結果の印刷を行わないことを表示部５に表示する制御を行う。これにより、ユーザーは、印刷が行われないことを把握する。
【００９４】
ステップＳ３１２では、制御部２８が、判定の対象となる解答用紙に関連した情報を用紙に印刷する制御を行う。具体的には、ステップＳ１０２で取得したテストＮｏのテストに関連した関連情報を、記憶部７に記憶されたテスト情報３４を参照して取得する。前述したように、関連情報は、問題に関連する関連問題、発展問題、及び解き方の解説の少なくとも１つを含む。そして、取得した関連情報が用紙に印刷されるように印刷部３を制御する。これにより、印刷が終了するまでに予め定められた時間を超える場合は、判定結果の印刷を行わず、判定終了情報が通知されるまでに、判定の対象となる解答用紙に関連した情報が用紙に印刷される。
【００９５】
なお、再解答欄が追加された解答用紙が印刷され、ユーザーが再解答欄に解答を記載した解答用紙の採点を再度指示した場合、図３のステップＳ１１０において、指示部２２は、追加された解答欄のみ正解及び不正解の少なくとも一方の判定を指示するようにしてもよい。これにより、追加された解答欄のみ判定されるため、全ての問題の解答を判定する場合と比較して採点時間が短縮される。
【００９６】
以上、各実施形態を用いて本発明について説明したが、本発明は各実施形態に記載の範囲には限定されない。本発明の要旨を逸脱しない範囲で各実施形態に多様な変更または改良を加えることができ、当該変更または改良を加えた形態も本発明の技術的範囲に含まれる。
【００９７】
例えば本実施形態では、画像形成装置１が採点部３０を備えた構成の場合について説明したが、採点部３０を外部装置に設け、この外部装置から採点結果を受信してもよい。
【００９８】
また、本実施形態では、画像形成装置１の記憶部７に正解情報を含むテスト情報３４が記憶されている場合について説明したが、テスト情報３４を外部装置に記憶させておき、この外部装置からテスト情報３４を取得してもよい。
【００９９】
また、本実施形態では、採点終了までの残り時間、解答の判定結果、正解情報に対する説明、及び正解情報に関連した問題等を表示部５に表示させる場合について説明したが、例えば表示部５への表示に加えて又は表示部５への表示に代えて、ユーザーのスマートフォン及びタブレット端末等の携帯端末に表示させてもよい。また、一部の内容を表示部５に表示させ、残りの内容を携帯端末に表示させてもよい。具体的には、他人に見られてもよい情報を表示部５に表示させ、他人に見られたくない判定結果に関する情報を携帯端末に表示させるようにしてもよい。携帯端末は基本的に自分しか見ることができないため、他人に見られたくない判定結果に関する情報を携帯端末に表示させることにより他人に見られるのを防ぐ。より具体的には、例えば、採点終了までの残り時間を表示部５に表示させ、解答の判定結果、正解情報に対する説明、及び正解情報に関連した問題等を携帯端末に表示させてもよい。
【０１００】
また、本実施形態では、解答の判定結果を判定にかかる時間が短い順に表示部５に表示させる場合について説明したが、一部の判定結果のみ表示部５に表示させてもよい。例えば正解の問題の判定結果のみ又は不正解の問題の判定結果のみを表示させてもよいし、予め定めた重要な問題の判定結果のみを表示させてもよい。また、予め定めた数の問題をスキップしながら判定結果を表示させてもよい。
【０１０１】
また、本実施形態では、解答欄の判定結果を表示部５に表示することでユーザーに通知する場合について説明したが、画像形成装置１に音声出力機能を設け、表示部５への表示に加えて又は表示部５への表示に代えて、判定結果を音声で出力することによりユーザーに通知するようにしてもよい。例えば、「１問目正解です。」等の音声を出力するようにしてもよい。また、画像形成装置１に照明装置を設け、採点が終了した場合に照明装置を点灯させることによりユーザーに通知してもよい。また、判定結果をメールでユーザーの携帯端末に送信することにより通知するようにしてもよい。
【０１０２】
また、本実施形態では、画像形成装置１に本発明を適用した場合について説明したが、例えばスマートフォン及びタブレット端末等のカメラ等の撮影機能を有する携帯端末に本発明を適用してもよい。この場合、解答用紙をカメラで撮影して解答用紙の画像を取得して図３〜５の処理を実行すればよい。
【０１０３】
また、例えば、図３〜５に示した採点処理をＡＳＩＣ（Application Specific Integrated Circuit）等のハードウェアで実現するようにしてもよい。この場合、ソフトウエアで実現する場合に比べて、処理の高速化が図られる。
【０１０４】
また、各実施形態では、採点プログラム３２が記憶部７にインストールされている形態を説明したが、これに限定されるものではない。本実施形態に係る採点プログラム３２を、コンピュータ読取可能な記憶媒体に記録した形態で提供してもよい。例えば、本実施形態に係る情報処理プログラムを、ＣＤ(Compact Disc)−ＲＯＭ及びＤＶＤ(Digital Versatile Disc)−ＲＯＭ等の光ディスクに記録した形態、若しくはＵＳＢ(Universal Serial Bus)メモリ及びメモリカード等の半導体メモリに記録した形態で提供してもよい。また、本実施形態に係る採点プログラムを、通信部６に接続された通信回線を介して外部装置から取得するようにしてもよい。
【符号の説明】
【０１０５】
１     画像形成装置
２     スキャナ部
３     印刷部
４     操作部
５     表示部
６     通信部
７     記憶部
１０   情報処理部
２０   取得部
２２   指示部
２４   受信部
２６   通知部
２８   制御部
３０   採点部
３２   採点プログラム
３４   テスト情報
【図１】
2020149166.tif 000003
【図２】
2020149166.tif 000004
【図３】
2020149166.tif 000005
【図４】
2020149166.tif 000006
【図５】
2020149166.tif 000007
【図６】
2020149166.tif 000008
【図７】
2020149166.tif 000009
【図８】
2020149166.tif 000010
【図９】
2020149166.tif 000011
【図１０】
2020149166.tif 000012
【図１１】
2020149166.tif 000013